(57)【要約】      （修正有）【課題】個人向け住宅またはオフィスに簡単かつ安価に設置できる組立式エアシャワー装置を提供する。【解決手段】組立式エアシャワー装置１は、枠構体２における一方の出入口側面に設けた、例えばカーテンハーフ１１よりなる通行可能遮蔽カーテン手段７と、吸込み口および吹出し口を有し、枠構体２の天井部分に支持したエアシャワーユニット９と、枠構体２の天井部分に支持したエアシャワーユニット９を除いて天井部分を遮蔽する天井遮蔽手段１０とを備える。好適には、枠構体２を、少なくとも上側端部に、室内の天井および床に当接するレベルアジャスタ４を設けた少なくとも４個の縦支柱部材３と、これら４個の縦支柱部材３の上側端部近傍で、上方交差部材６と、少なくとも２個の下方交差部材６とにより構成する。【選択図】図１
0003148523.tif 000002
【実用新案登録請求の範囲】
【請求項１】
組立および分解が容易な枠構体と、
この枠構体における少なくとも一方の出入口側面に設けた通行可能遮蔽カーテン手段と、
吸込み口および吹出し口を有し、前記枠構体の天井部分に支持したエアシャワーユニットと、
前記枠構体の前記天井部分に支持したエアシャワーユニットを除いて天井部分を遮蔽する天井遮蔽手段と
を備えたことを特徴とする組立式エアシャワー装置。
【請求項２】
請求項１記載の組立式エアシャワー装置において、さらに、記枠構体の横側面を遮蔽する横側面遮蔽手段を設けた、組立式エアシャワー装置。
【請求項３】
請求項１記載の組立式エアシャワー装置において、前記枠構体を、
少なくとも４個の縦支柱部材であって、各縦支柱部材の少なくとも上側端部に、室内の天井および床に当接するレベルアジャスタを設けた、該少なくとも４個の縦支柱部材と、
これら４個の縦支柱部材の上側端部近傍で、隣接する縦支柱部材を順次横方向に連結して天井枠体を構成する少なくとも４個の上方交差部材と、
左右各側面における１対の前記縦支柱部材を下側端部近傍で互いに連結する少なくとも２個の下方交差部材と
により構成した、組立式エアシャワー装置。
【請求項４】
請求項１〜３のうちいずれか一項に記載の組立式エアシャワー装置において、
前記出入口側面に設けた前記通行可能遮蔽カーテン手段を、
前記出入口側側面における、中央部分がオーバーラップするよう縦方向に２つ割れにしたカーテンハーフにより構成し、各カーテンハーフの上方端縁を隙間なく枠構体に固定し、下方端縁を自由に垂れ下がるようにし、各カーテンハーフの側方端縁を隙間なく枠構体に固定した、組立式エアシャワー装置。
【請求項５】
請求項１〜３のうちいずれか一項に記載の組立式エアシャワー装置において、
前記出入口側面に設けた通行可能遮蔽カーテン手段を、
四辺を枠構体に隙間なく固定し、かつ人間が通過できる通行開口を設けた固定遮蔽カーテンと、
前記通行開口よりも面積が大きい垂れ幕カーテンであって、この垂れ幕カーテンの端縁が前記固定遮蔽カーテンにオーバーラップして前記通行開口を塞ぎ、上側端縁を前記枠構体または固定遮蔽カーテンに固着した該垂れ幕カーテンと
により構成した組立式エアシャワー装置。
【請求項６】
請求項１〜５のうちいずれか一項に記載の組立式エアシャワー装置において、少なくとも前記通行可能遮蔽カーテン手段を、透明なビニール製またはポリウレタン製のカーテンとした組立式エアシャワー装置。
【考案の詳細な説明】
【技術分野】
【０００１】
本考案は、クリーンルーム装置に関し、とくに組立式エアシャワー装置に関する。
【背景技術】
【０００２】
このようなクリーンルーム装置としては、本願人による先願発明（例えば、特許文献１、特許文献２参照）先願実用新案登録（特許文献３）がある。
【特許文献１】特開平０９−２７９７５０号公報
【特許文献２】特開平０６−３４１６８６号公報
【特許文献３】実願平０７−００６４１３号公報
【考案の開示】
【考案が解決しようとする課題】
【０００３】
これら従来のクリーンルーム装置は、工場、研究室等で使用する大がかりなクリーンルームであり、家庭またはオフィスに設置するには、設置面積およびコスト的に無理があった。
したがって、本考案の目的は、個人向け住宅またはオフィスに簡単かつ安価に設置できる組立式エアシャワー装置を得るにある。
【課題を解決するための手段】
【０００４】
この目的を達成するため、本考案組立式エアシャワー装置は、組立および分解が容易な枠構体と、この枠構体における少なくとも一方の出入口側面に設けた通行可能遮蔽カーテン手段と、吸込み口および吹出し口を有し、前記枠構体の天井部分に支持したエアシャワーユニットと、前記枠構体の前記天井部分に支持したエアシャワーユニットを除いて天井部分を遮蔽する天井遮蔽手段とを備えたことを特徴とする。
【考案の効果】
【０００５】
本考案組立式エアシャワー装置によれば、組立および分解が容易な枠構体に、通行可能遮蔽カーテン手段、エアシャワーユニット、天井遮蔽手段を簡単に組み付けるだけで、組み立てることができるため、戸建て、集合賃貸住宅等の個人住宅、または会社オフィスの玄関先または玄関内空間に、個人がＤＩＹで容易に設置することができる。
【０００６】
本考案組立式エアシャワー装置によれば、エアシャワーユニットにより、外出先から戻ったとき、外で付着した花粉や塵埃を吹き飛ばし、吸引し、部屋空間内に花粉や塵埃を持ち込まないようにすることができる。
【考案を実施するための最良の形態】
【０００７】
本考案組立式エアシャワー装置の好適な実施形態においては、さらに、記枠構体の横側面を遮蔽する横側面遮蔽手段を設ける。この実施形態によれば、横側面遮蔽手段により、組立式エアシャワー装置の内部空間を外部空間から確実に遮蔽することができ、したがって、横方向の間取りが広い玄関を有する家屋またはオフィスの玄関内空間、または玄関外の開放空間にも設置することができる。
【０００８】
本考案組立式エアシャワー装置の好適な実施形態においては、前記枠構体を、少なくとも４個の縦支柱部材であって、各縦支柱部材の少なくとも上側端部に、室内の天井および床に当接するレベルアジャスタを設けた、該少なくとも４個の縦支柱部材と、これら４個の縦支柱部材の上側端部近傍で、隣接する縦支柱部材を順次横方向に連結して天井枠体を構成する少なくとも４個の上方交差部材と、左右各側面における１対の前記縦支柱部材を下側端部近傍で互いに連結する少なくとも２個の下方交差部材とにより構成する。
【０００９】
本考案組立式エアシャワー装置の他の好適な実施形態においては、入口側面および出口側面に設けた前記通行可能遮蔽カーテン手段を、入口側側面および出口側側面における、中央部分がオーバーラップするよう縦方向に２つ割れにしたカーテンハーフにより構成し、各カーテンハーフの上方端縁を隙間なく枠構体に固定し、下方端縁を自由に垂れ下がるようにし、各カーテンハーフの側方端縁を隙間なく枠構体に固定する。
【００１０】
本考案組立式エアシャワー装置のさらに他の好適な実施形態においては、前記入口側面のおよび出口側面に設けた通行可能遮蔽カーテン手段を、四辺を枠構体に隙間なく固定し、かつ人間が通過できる通行開口を設けた固定遮蔽カーテンと、前記通行開口よりも面積が大きい垂れ幕カーテンであって、この垂れ幕カーテンの端縁が前記固定遮蔽カーテンにオーバーラップして前記通行開口を塞ぎ、上側端縁を前記枠構体または固定遮蔽カーテンに固着した該垂れ幕カーテンと、により構成する。
【００１１】
本考案組立式エアシャワー装置の好適な実施形態において、前記通行可能遮蔽カーテン手段および横側面遮蔽手段のうち、少なくとも前記通行可能遮蔽カーテン手段を、透明なビニール製またはポリウレタン製のカーテンとする。
つぎに、図面につき本考案の好適な実施例を説明する。
【実施例１】
【００１２】
図１は、本考案による好適な実施例である組立式エアシャワー装置１の分解斜視図を示す。本考案による組立式エアシャワー装置１は、横方向間取りが狭い、戸建て、集合賃貸住宅等の個人住宅もしくはオフィスの玄関内空間に、個人がＤＩＹで容易に設置することができる、組立および分解が容易な枠構体２を有する。
【００１３】
この枠構体２は、少なくとも４個の縦支柱部材３を有し、各縦支柱部材３は、少なくとも上側端部に、室内の天井および床に当接するレベルアジャスタ４を設ける。このレベルアジャスタ４によれば、玄関スペース等の室内空間にしっかりと固定することができる。
【００１４】
図示の実施例では、縦支柱部材３の下側端部にもレベルアジャスタ４を設けた実施例を示したが、縦支柱部材３の下側端部には、室内床面に設置するベース面（図示せず）を設け、このベース面により４個の縦支柱部材３を互いに連結するようにすることもできる。
【００１５】
これら４個の縦支柱部材３の上側端部近傍で、隣接する縦支柱部材３を順次横方向に連結して天井枠体を構成する４個の上方交差部材５と、左右各側面における１対の縦支柱部材を下側端部近傍で互いに連結する少なくとも２個の下方交差部材６とにより構成する室内床面に設置するベース面を設ける実施例においては、下方交差部材６を省略することができる。
【００１６】
本考案組立式エアシャワー装置１においては、さらに、枠構体２における出口側面に通行可能遮蔽カーテン手段７と、および枠構体２の天井部分に支持したエアシャワーユニット９と、枠構体２の天井部分に支持したエアシャワーユニットを除いて天井部分を遮蔽する天井遮蔽手段１０とを設ける。
枠構体２は、玄関の横方向の間取りに適合する寸法を有するものとし、枠構体２の通行可能遮蔽カーテン手段７を設けない側を玄関ドア側の壁面に密着させる。
【実施例２】
【００１７】
横方向間取り寸法が大きい玄関内空間に設置する場合、本考案組立式エアシャワー装置１′を設置する場合、実施例１の構成の他に、さらに、枠構体２の横側面を遮蔽する横側面遮蔽手段８を設ける。
この実施例２の組立式エアシャワー装置１′を玄関の外に配置する場合、図１における通行可能遮蔽カーテン手段７を設けた出口側を入口側にし、枠構体２の通行可能遮蔽カーテン手段７を設けない側を玄関ドア側の壁面に密着させる。
【００１８】
本考案組立式エアシャワー装置１，１′の好適な実施例においては、少なくとも一方の出入口側面に設ける通行可能遮蔽カーテン手段７は、入口側側面および出口側側面における、中央部分がオーバーラップするよう縦方向に２つ割れにしたカーテンハーフ１１Ａ，１１Ｂにより構成する。各カーテンハーフ１１Ａ，１１Ｂの上方端縁は、隙間なく枠構体２に固定し、下方端縁を自由に垂れ下がるようにし、オーバーラップする側方端縁に対向する各カーテンハーフの側方端縁を隙間なく枠構体２に固定する。
【００１９】
図示しない他の実施例においては、入口側面のおよび出口側面に設けた通行可能遮蔽カーテン手段７を、四辺を枠構体に隙間なく固定し、かつ人間が通過できる通行開口を設けた固定遮蔽カーテンと、通行開口よりも面積が大きい垂れ幕カーテンであって、この垂れ幕カーテンの端縁が固定遮蔽カーテンにオーバーラップして通行開口を塞ぎ、上側端縁を枠構体または固定遮蔽カーテンに固着した該垂れ幕カーテンとにより構成することもできる。
【００２０】
通行可能遮蔽カーテン手段７および横側面遮蔽手段８のうち、少なくとも通行可能遮蔽カーテン手段７を、透明なビニール製またはポリウレタン製のカーテンとする。通行可能遮蔽カーテン手段７は、双方の出入口側面に設けることもできる。
【００２１】
エアシャワーユニット９は、吸込み口から吸引した組立式エアシャワー装置１，１′の内部空間の空気をフィルタ処理するフィルタ手段１２と、組立式エアシャワー装置１，１′の内部空間の空気を吸込み口から吸引するとともに、フィルタ手段１２を通過したフィルタ処理済み空気を吹出し口から組立式エアシャワー装置１，１′の内部空間に吹き込む吸引ブロワ手段１３と、電源コード１４と、吸引ブロワ手段１３をオン・オフ等の制御を行うコントローラ１５とにより構成する。
【００２２】
本考案によれば、玄関内空間に設けた組立式エアシャワー装置１，１′に、一方の出入口側面から、組立式エアシャワー装置１の内部空間に入り、コントローラ１５で、エアシャワーユニット９の吸引ブロワ手段１３を動作させることにより、外で付着した花粉や塵埃を吹き飛ばし、吸引した後、通行可能遮蔽カーテン手段７を設けた出入口側面から、部屋空間内に入るようにする。
このようにすることにより、体に付着した花粉や塵埃を持ち込まないようにすることができる。
【産業上の利用可能性】
【００２３】
本考案組立式エアシャワー装置は、個人向け住宅またはオフィスの玄関先または玄関内空間等に設置して利用できる。
【図面の簡単な説明】
【００２４】
【図１】本考案による組立式エアシャワー装置の好適な第１実施例の分解斜視図である。
【図２】本考案による組立式エアシャワー装置の好適な第２実施例の分解斜視図である。
【符号の説明】
【００２５】
１,１′  組立式エアシャワー装置
２  枠構体
３  縦支柱部材
４  レベルアジャスタ
５  上方交差部材
６  下方交差部材
７  通行可能遮蔽カーテン手段
８  横側面遮蔽手段
９  エアシャワーユニット
１０  天井遮蔽手段
11A,11B  カーテンハーフ
１２  フィルタ手段
１３  吸引ブロワ手段
１４  電源コード
１５  コントローラ
【図１】
0003148523.tif 000003
【図２】
0003148523.tif 000004